(57)【要約】【課題】映画館の利用者などに、映画に関する所望の画像の情報を提供することが可能となる画像処理装置を提供する。【解決手段】映画のワンシーンなどの画像データを複数種に亘って取得する画像取得部と、前記取得した画像データを表示させた上で、該表示させた画像データのうちの何れかの選択を受付ける選択受付部と、受信装置が着脱可能に接続される接続部と、前記選択のなされた画像データを、前記受信装置へ配信する配信動作を行う画像配信部と、を備えた画像処理装置とする。【選択図】図５
2011151433.tif 000002
【特許請求の範囲】
【請求項１】
映画のワンシーンなどの画像データを複数種に亘って取得する画像取得部と、
前記取得した画像データを表示させた上で、該表示させた画像データのうちの何れかの選択を受付ける選択受付部と、
受信装置が着脱可能に接続される接続部と、
前記選択のなされた画像データを、前記受信装置へ配信する配信動作を行う画像配信部と、
を備えたことを特徴とする画像処理装置。
【請求項２】
所定の券が提出される度に、
当該券を回収した上で、前記配信動作を１回だけ行うことを特徴とする請求項１に記載の画像処理装置。
【請求項３】
前記画像取得部は、それぞれが複数種の映画のタイトルの何れかに関連付けられた画像データを取得するものである、請求項２に記載の画像処理装置であって、
前記券が提出される度に、当該券に付随した情報に基づいて、前記タイトルのうちの一つを特定し、
前記選択受付部は、
前記取得した画像データのうち、特定されたタイトルに関連付けられたもののみを表示させた上で、該表示させた画像データのうちの何れかの選択を受付けることを特徴とする画像処理装置。
【請求項４】
ＩＤ情報が付随した所定の券が提示される度に、
当該ＩＤ情報が以前に提示された券のものと一致しない場合に、前記配信動作を１回だけ行うことを特徴とする請求項１に記載の画像処理装置。
【請求項５】
映画のワンシーンなどの画像データを複数種に亘って取得する画像取得部と、
前記取得した画像データを表示させた上で、該表示させた画像データのうちの何れかの選択を受付ける選択受付部と、
前記選択のなされた画像データの印刷物を生成する印刷部と、を備え、
該印刷物を提供することを特徴とする画像処理装置。
【請求項６】
被写体を撮影して撮影画像データを取得する撮影部と、
前記選択のなされた画像データに、前記撮影画像データを合成させる合成部と、
を備えたことを特徴とする請求項１から請求項５の何れかに記載の画像処理装置。
【発明の詳細な説明】
【技術分野】
【０００１】
本発明は、映画に関する画像の情報などを提供する、画像処理装置に関する。
【背景技術】
【０００２】
従来、映画館の利用者（客）の利便性や満足度を高めるため、機器やシステムを用いた種々のサービスが考案されている。一例として、上映中の映画の宣伝用動画を表示する機器を映画館に設置して、上映中の映画の情報を利用者に提供するサービスや、インターネットを利用した座席予約サービスなどが挙げられる。
【０００３】
これらのサービスによれば、利用者は、どのような映画が上映されているかを把握することができたり、簡単に座席を確保したりすることが可能となる。なお利用者の満足度を向上させることは、再度映画館を訪れようとする意欲をもたせて、利用者を増大させること等にも繋がるため、映画館の管理者などの立場からも非常に重要である。
【先行技術文献】
【特許文献】
【０００４】
【特許文献１】特開２００５−１２２２６４号公報
【発明の概要】
【発明が解決しようとする課題】
【０００５】
映画のコンテンツは特に視覚的要素に重点が置かれており、利用者の多くは、映画に関する画像（例えば、映画のワンシーンの画像や、映画を宣伝するための画像など）に強い関心をもっていると推察される。このことから、映画に関する所望の画像の情報や印刷物を提供するサービスが実施されれば、利用者の満足度は大きく向上すると見込まれる。
【０００６】
本発明は上述した状況に鑑み、映画館の利用者などに、映画に関する所望の画像の情報もしくは印刷物を提供することが可能となる画像処理装置の提供を目的とする。
【課題を解決するための手段】
【０００７】
上記目的を達成するため、本発明に係る画像処理装置は、映画のワンシーンなどの画像データを複数種に亘って取得する画像取得部と、前記取得した画像データを表示させた上で、該表示させた画像データのうちの何れかの選択を受付ける選択受付部と、受信装置が着脱可能に接続される接続部と、前記選択のなされた画像データを、前記受信装置へ配信する配信動作を行う画像配信部と、を備えた画像処理装置とする。
【０００８】
本構成によれば、映画に関する画像データを取得した上で、受信装置の所持者（映画館の利用者など）に、映画に関する所望の画像の情報を提供することが可能となる。
【０００９】
また上記構成において、所定の券が提出される度に、当該券を回収した上で、前記配信動作を１回だけ行う構成としてもよい。本構成によれば、画像データの配信の回数を制限することが可能である。その結果、配信される画像データの希少価値を出来るだけ維持させることが可能となる。また例えば当該券を映画館の入場券とすることで、客における入場券の取得意欲を増進させ、映画館の管理者などの立場から見れば、入場券の売り上げ増大を図ることが可能となる。
【００１０】
また、前記画像取得部は、それぞれが複数種の映画のタイトルの何れかに関連付けられた画像データを取得するものである、上記構成の画像処理装置について、前記券が提出される度に、当該券に付随した情報に基づいて、前記タイトルのうちの一つを特定し、前記選択受付部は、前記取得した画像データのうち、特定されたタイトルに関するもののみを表示させた上で、該表示させた画像データのうちの何れかの選択を受付ける構成としてもよい。
【００１１】
また上記構成において、ＩＤ情報が付随した所定の券が提示される度に、当該ＩＤ情報が以前に提示された券のものと一致しない場合に、前記配信動作を１回だけ行う構成としてもよい。本構成によれば、画像データの配信の回数を制限することが可能である。なおここでの「ＩＤ情報」とは、その券を他の券から区別させ得る情報（一例として、通し番号を表すバーコード）のことである。
【００１２】
また本発明に係る別の形態の画像処理装置は、映画のワンシーンなどの画像データを複数種に亘って取得する画像取得部と、前記取得した画像データを表示させた上で、該表示させた画像データのうちの何れかの選択を受付ける選択受付部と、前記選択のなされた画像データの印刷物を生成する印刷部と、を備え、該印刷物を提供する構成とする。本構成によれば、映画に関する画像データを取得した上で、映画館の利用者などに、映画に関する所望の画像が印刷された印刷物を、提供することが可能となる。
【００１３】
また上記構成において、被写体を撮影して撮影画像データを取得する撮影部と、前記選択のなされた画像データに、前記撮影画像データを合成させる合成部と、を備えた構成としてもよい。本構成によれば、配信される画像データあるいは提供される印刷物に係る画像を、利用者の肖像などを合成させたものとすることが可能となる。
【発明の効果】
【００１４】
上述した通り、本発明に係る画像処理装置によれば、映画に関する画像データを取得した上で、映画館の利用者などに、映画に関する所望の画像の情報あるいは当該画像が印刷された印刷物を、提供することが可能となる。
【図面の簡単な説明】
【００１５】
【図１】映画館における各設備の配置態様を表した説明図である。
【図２】本発明の実施形態に係る画像配信装置のブロック図である。
【図３】当該画像配信装置の外観図である。
【図４】画像データ管理テーブルに関する説明図である。
【図５】当該画像配信装置が行う画像配信動作のフローチャートである。
【図６】本発明の実施形態に係る印刷物提供装置のブロック図である。
【図７】当該印刷物提供装置の外観図である。
【図８】当該印刷物提供装置が行う印刷物提供動作のフローチャートである。
【発明を実施するための形態】
【００１６】
本発明の実施形態に係る画像処理装置について、画像配信装置の形態をとる実施例１、および印刷物提供装置の形態をとる実施例２を例に挙げて、以下に説明する。
【００１７】
［実施例１］
まず実施例１として、画像配信装置（画像処理装置の一種）を挙げて説明する。図１は、画像配信装置が設置された映画館における、各設備の配置態様を表したものである。本図に示すように映画館９には、エントランスホール１、および、映画が上映される複数箇所（本実施例では４箇所）の上映ルーム２が設けられている。各上映ルーム２では、互いに異なるタイトル（タイトルＡ〜Ｄ）の映画が上映される。このように映画館９は、いわゆるシネマコンプレックスの形態が採用されている。
【００１８】
エントランスホール１は、利用者（映画館の客）が自由に出入りできる場所であり、発券機３、および画像配信装置４が配置されている。なお、エントランスホール１から各上映ルーム２へ向かう経路の途中には、映画券をチェックするチェックゲート５（映画券をチェックする機能を備えた装置、或いは、映画館９の従業員など）が配備されている。何れかの上映ルーム２に入って映画を鑑賞するためには、利用者は、事前に発券機３を使って、映画券を購入しておく必要がある。
【００１９】
発券機３は、入場料等との引換えに映画券を発券する装置である。利用者は、発券機３を通じて、鑑賞したい映画のタイトルに対応した映画券を購入することが可能となっている。なお映画券には、本券に対応した映画のタイトル、上映時間、入場すべき上映ルーム２、および座席（指定席）の位置などの情報が記載されており、利用者がこれらを確認することが可能となっている。
【００２０】
また映画券には、画像配信装置４によってこれらの情報が読取り可能となるように、本券に対応した映画のタイトル等の情報が、所定の態様で（例えば、バーコードが印刷されることによって）付随されている。利用者は、映画券を購入した後、この映画券をチェックゲート５に提示して、上映ルーム２に向かうことができる。
【００２１】
また映画券は、例えば、提出用の半券と所持用の半券が繋がった態様であっても構わない。この場合、利用者は、提出用の半券をチェックゲート５に引渡し、所持用の半券を所持しておく。なお発券機３の操作については、利用者が直接操作するようになっていても良く、オペレータ等が操作を代行するようになっていても良い。
【００２２】
画像配信装置４は、映画館９にて上映される各映画のタイトルに関する画像データを、利用者の所持する携帯端末に、随時配信する装置である。画像配信装置４の構成や動作については、改めて詳細に説明する。なお発券機３や画像配信装置４、および後述する画像サーバは、映画館の管理者などによって管理されている。上述した通り映画館９では、複数種のタイトルの映画が上映されており、利用者は、任意のタイトルの映画を鑑賞することが可能である。
【００２３】
次に、画像配信装置４の構成について説明する。図２は、画像配信装置４の構成を表すブロック図であり、図３は、画像配信装置４の外観図（手前側が前面）である。画像配信装置４は、利用者がその前面に向き合うことができるように、適切に設置されることが想定されている。
【００２４】
図２に示すように、画像配信装置４は、券処理部４１、表示部４２、操作部４３、演算制御部４４、記憶部４５、撮影部４６、画像取得部４７、および画像配信部４８などを有している。
【００２５】
券処理部４１は、利用者による映画券（半券などの場合も含む）の挿入を受付けるための券挿入口４１ａが設けられている。また券処理部４１は、挿入された映画券に付随されている各情報（特に、本券に対応した映画のタイトルの情報）を読取る装置や、挿入された映画券を回収するための装置などが設けられている。なお映画券から読取られた情報は、演算制御部４４に伝送される。
【００２６】
表示部４２は、主に利用者による各情報の確認に用いられる確認用画面４２ａや、主に画像データの表示に用いられる画像データ表示用画面４２ｂが設けられている。表示部４２は、演算制御部４４の指示に応じて、各種の画像をこれらの画面（４２ａ、４２ｂ）に表示させる。
【００２７】
なお画像データ表示用画面４２ｂは、図３に示すように、Ｓ００１〜Ｄ００３の６個分が設けられている。またＳ００１〜Ｓ００３の３画面は、特に静止画の表示に好適な仕様となっており、Ｄ００１〜Ｄ００３の３画面は、特に動画の表示に好適な仕様となっている。ただし、Ｓ００１〜Ｄ００３の各画面は同等の仕様であっても構わない。
【００２８】
操作部４３は、確認用画面４２ａの表面に配置されたタッチパネル４３ａや、画像データ表示用画面４２ｂの各々に対応した画像選択ボタン４３ｂが設けられている。タッチパネル４３ａは、確認用画面４２ａの表示を遮らないように透明となっており、利用者の指などが触れられた位置やタイミングを検出して、演算制御部４４に伝える。また画像選択ボタン４３ｂは、利用者によって押下されたときに、そのことを演算制御部４４に伝える。
【００２９】
演算制御部４４は、ＣＰＵ［Central Processing Unit］などから形成されている。演算制御部４４は、画像配信装置４の各部の制御や各種の演算処理を実行し、画像配信装置４を正常に動作させる。なお画像配信装置４において実行される主な動作の内容については、改めて説明する。
【００３０】
記憶部４５は、作業用メモリ等として利用されるＲＡＭ、所定のアプリケーション等が予め記録されているＲＯＭ、および、取得された画像データの格納などに用いられるＨＤＤ（ハードディスクドライブ）などから形成されており、演算制御部４４によるアクセスが可能となっている。なお画像配信装置４が取得する画像データの各々は、後述するように、複数種の映画のタイトルの何れかに関するものである。なお記憶部４５には、現在格納されている画像データを管理するための、画像データ管理テーブルも記録される。
【００３１】
画像データ管理テーブルには、図４に示すように、「表示位置」、「静止画／動画」、「タイトル」、および「画像データＩＤ」などの各情報が、現在格納されている画像データごとに含まれている。なお「表示位置」の項目は、その画像データが、画像データ表示用画面４２ｂに表示される際に、Ｓ００１〜Ｄ００３の何れの位置に表示されるべきかを表している。
【００３２】
また「静止画／動画」の項目は、その画像データが、静止画と動画の何れであるかを表している。また「タイトル」の項目は、その画像データに対応した映画のタイトル（タイトルごとに割当てられたＩＤ等であっても構わない）を表している。また「画像データＩＤ」は、その画像データを他の画像データから識別させ得るＩＤ（例えば、ファイル名）を表している。
【００３３】
図４に示す画像データ管理テーブルによれば、例えばＮｏ１の画像データは、画像データ表示用画面４２ｂに表示される際には「Ｓ００１」の位置に表示され、「静止画」であり、タイトル「Ａ」に対応している（タイトルＡの映画のワンシーンなどである）ものであり、ＩＤが「Ａ＿Ｓ００１＿００１．ＸＸＸ」であるといえる。
【００３４】
なお、画像データに関するこれらの情報は、画像サーバ６から画像配信装置４へ画像データが送信される際に、当該画像データに付随して画像配信装置４へ送信される。このように画像配信装置４に送信される各画像データは、映画のタイトルなどが関連付けられている。
【００３５】
撮影部４６は、画像配信装置４の前方の被写体（特に、現時点で画像配信装置４にアクセスしている利用者が想定される）を撮影する、カメラ４６ａが備えられている。撮影部４６は、演算制御部４４の指示に応じて撮影を実行し、撮影画像データを取得する。
【００３６】
画像取得部４７は、例えばＵＳＢやＬＡＮを用いて画像サーバ６（画像データを、随時、画像配信装置４へ送信する機能をもった装置）に接続され、画像サーバ６との通信が可能である。画像取得部４７は、画像サーバ６から画像データを受信した場合に、当該画像データを記憶部４５に記憶させる。
【００３７】
なお、画像サーバ６から画像配信装置４に送信される各画像データは、映画館９で上映されている複数種の映画のタイトルの何れかに関するものである。あるタイトルに関する画像データとしては、例えば、そのタイトルの映画のワンシーンを表す静止画もしくは動画や、そのタイトルの映画を宣伝するための静止画もしくは動画などが挙げられる。
【００３８】
画像配信部４８は、携帯端末７が近づけられたときに、この携帯端末７との無線通信を可能とする無線通信Ｉ／Ｆ４８ａを備えている。なおここでの携帯端末７は、各利用者が所持している携帯型の受信装置であり、一例として、携帯電話機やデジタルカメラである。画像配信部４８は、無線通信Ｉ／Ｆ４８ａを介して、携帯端末７が着脱自在に無線接続されるようになっている。画像配信部４８は、演算制御部４４の指示に応じて、接続されている携帯端末７に、画像データを配信（送信）する。
【００３９】
また画像配信部４８は、携帯端末７との無線通信が可能な状況であるか否かを、検知する機能をも有している。なお無線通信Ｉ／Ｆ４８ａにおいては、例えば近接無線伝送技術（TransferJet等）が適用され、静止画や動画を問わず、高速な情報配信が可能となっていることが望ましい。但しこの場合は、携帯端末７においても、近接無線伝送技術による通信に対応している必要がある。
【００４０】
次に、画像配信装置４の動作について説明する。画像配信装置４は、電源がＯＮにされると、所定の立上げ処理（ＣＰＵのブート起動、各部の初期化処理、およびＲＯＭに記録されているアプリケーションの実行など）を経て、通常の動作状態に移行する。
【００４１】
通常の動作状態において、画像配信装置４は、画像サーバ６から一または複数種の画像データの提供がなされたか、および、券挿入口４１ａに映画券が挿入されたかを監視する。
【００４２】
そして画像データの提供がなされた場合には、画像取得部４７は、提供された画像データを記憶部４５に格納する。また画像取得部４７は、新たに画像データを格納したことに伴い、先述した画像データ管理テーブル（図４を参照）を適切に更新する。これにより画像データ管理テーブルは、最新の状態に維持される。
【００４３】
なお画像データの提供および提供された画像データの格納は、画像配信装置４に格納されている画像データの全部または一部が、定期的に、新しいものに置き換えられる（古い画像データは削除される）ようになされても良い。このようにすれば、画像配信装置４に格納されている画像データを、期間限定のものとすることができ、利用者の取得意欲をより向上させることができる。
【００４４】
一方、券挿入口４１ａに１枚の映画券が挿入された場合には、演算制御部４４は、利用者による画像データの配信要求があったものと判断し、利用者が所持する携帯端末７に画像データを配信するための動作（便宜的に、「画像配信動作」と称する）を開始する。
【００４５】
なお挿入された映画券は、そのまま画像配信装置４に回収され、利用者に返却されない。そのため画像配信動作の実行は、１枚の映画券につき、１回に限定されることになる。また券挿入口４１ａへの映画券の挿入は、画像配信装置４に対する映画券の提出と見ることもできる。
【００４６】
また画像配信動作の実行中においては、画像配信装置４の動作手順や、利用者が採るべき行動などについての説明が、適宜、確認用画面４２ａなどに表示される。画像配信動作の内容について、図５に示すフローチャートを参照しながら、以下に説明する。
【００４７】
まず画像配信装置４は、券挿入口４１ａに挿入された映画券に対応した、映画のタイトルを判別する（ステップＳ１）。なお先述した通り、映画券には、当該映画券に対応したタイトルの情報が付随しているため、この情報を読取ることにより、当該判別の処理を行うことが可能である。
【００４８】
その後、演算制御部４４は、記憶部４５に格納されている各画像データのうち、判別されたタイトルに関連付けられているもの（対応するもの）を、画像データ管理テーブルを参照して選出する。そして演算制御部４４は、選出された画像データの各々を、画像データ表示用画面４２ｂに表示させる（ステップＳ２）。なお、各画像データが、Ｓ００１〜Ｄ００３の何れの位置に表示されるかは、画像データ管理テーブルにおける「表示位置」の情報に従って決められる。
【００４９】
また画像データ表示用画面４２ｂでの表示態様については、画像データが静止画である場合は、例えば１回分の画像配信動作が完了するまで、その静止画を表示した状態が維持される。一方、画像データが動画である場合は、例えば１回分の画像配信動作が完了するまで、その動画が繰り返し表示される。
【００５０】
またこのように各画像データが表示された状態にて、演算制御部４４は、何れか一つの画像選択ボタン４３ｂの押下を待機する（ステップＳ３）。このとき利用者は、画像データ表示用画面４２ｂを見ながら、表示されている画像データの何れかを、配信を要求する画像データに決定することができる。
【００５１】
そして利用者は、決定した画像データに対応している（当該画像データが表示されている画面に対応している）画像選択ボタン４３ｂを押下し、何れかの画像データを選択することになる。以降、この選択された画像データを、便宜的に「選択画像データ」と称する。
【００５２】
また更に演算制御部４４は、撮影画像合成の要否の指示（例えばタッチパネル４３ａの所定操作）を待機する。このとき利用者は、配信のなされる画像（つまり選択画像データの画像）への撮影画像（例えば利用者自身の肖像）の合成を希望する場合には、撮影画像合成が必要である旨を指示し、そうでない場合には、不要である旨を指示することになる。
【００５３】
撮影画像合成が必要である旨が指示された場合には（ステップＳ４のＹ）、演算制御部４４は、撮影部４６に、カメラ４６ａによる被写体の撮影を実行させ、撮影画像データを取得させる。なお撮影の動作の手順は、利用者の望む撮影画像データが得られ易くなるように配慮されている。
【００５４】
例えば、カメラ４６ａが撮っている画像は、確認用画面４２ａにリアルタイムに映し出され、利用者が確認できるようになっている。また、利用者にとって不意打ちとならない所定のタイミング（例えば、利用者が所定操作を行ったタイミングや、カウントダウンの表示により利用者が予期できるタイミングなど）において撮影された画像が、撮影画像データとして採用される。
【００５５】
このようにして撮影画像データが得られたら、演算制御部４４は、選択画像データに、撮影画像データを合成させ、合成画像データを生成する（ステップＳ５）。より具体的には、選択画像データが静止画である場合、その静止画の一部に、撮影画像データの画像が重ねられたものを、合成画像データとする。また選択画像データが動画である場合、各フレームの同じ箇所に、撮影画像データの画像が重ねられたものを、合成画像データとする。
【００５６】
なおこのとき、撮影画像データにおける背景とみなされる部分（例えば、白色の壁を背景として撮影されている場合は、撮影画像データにおける白色の部分）が、透明化される（選択画像データが透けて見える）ようにしても構わない。また上述した合成画像データの態様は一例であり、選択画像データに撮影画像データの内容が反映されるようになっている限り、他の態様が採用されても良い。
【００５７】
また合成画像データが生成された後、或いは、撮影画像合成が不要である旨が指示された場合には（ステップＳ４のＮ）、演算制御部４４は、選択画像データ（以下、合成画像データが生成されている場合は、合成画像データを指すものとする）を、確認用画面４２ａに表示させる（ステップＳ６）。これにより利用者は、これから配信がなされる画像データの内容を、念のために確認することが可能である。
【００５８】
選択画像データを表示させた状態にて、演算制御部４４は、選択画像データの配信および画像データの再選択受付の、何れを実行すべきかの指示（例えばタッチパネル４３ａの所定操作）を待機する（ステップＳ７）。このとき利用者は、これから配信されるデータが、現状の選択画像データで良いと考える場合には、配信の実行（配信ＯＫ）を指示し、選択画像データの変更を希望する場合には、再選択受付（再選択必要）を指示することになる。
【００５９】
再選択受付が指示された場合には（ステップＳ７の「再選択必要」）、演算制御部４４は、現状の選択画像データに関わる情報を破棄し、再度ステップＳ３の動作を行う。これにより利用者は、選択画像データを変更させることが可能である。
【００６０】
一方、配信の実行が指示された場合には（ステップＳ７の「配信ＯＫ」）、演算制御部４４は、画像配信部４８に、選択画像データを携帯端末７に配信するよう指示する。これを受けて画像配信部４８は、携帯端末７との無線通信が可能となることを待機する（ステップＳ８）。このとき利用者は、自身が所持する携帯端末７を無線通信Ｉ／Ｆ４８ａに近づけ、当該無線通信が可能となるようにする。
【００６１】
無線通信が可能となったら、画像配信部４８は、必要な接続処理などを実行した上で、選択画像データを携帯端末７に配信する（ステップＳ９）。これにより、選択画像データは携帯端末７の記憶装置に格納される。以降、利用者は、携帯端末７の画像再生機能などを利用して、配信された画像データを自由に見ることが可能となる。
【００６２】
なお画像配信装置４は、１回の選択画像データを配信する動作につき、選択画像データを１台の携帯端末７だけに配信するものとなっている。またステップＳ９の動作が完了することにより、１回分の画像配信動作は完了し、画像配信装置４は再び通常の動作状態に戻る。
【００６３】
なお上述したステップＳ８の動作に代えて、利用者が配信開始の指示を行ったときに、選択画像データの配信が実行されるようにしても構わない。この場合利用者は、先に携帯端末７を無線通信Ｉ／Ｆ４８ａに近づけて、画像データの配信が可能な状態とした上で、配信開始の指示を行うことになる。
【００６４】
画像配信装置４は、上述した通りの動作を実行する。また映画館９の管理者は、画像配信装置４を使って、映画券を購入した利用客に対して、画像配信のサービスを行う。これにより利用者は、ある映画のタイトルに対応した映画券を購入した後、画像配信装置４を使って、そのタイトルに関する所望の画像データの提供を受けることが可能となっている。
【００６５】
以上に説明した通り、画像配信装置４は、映画に関する画像データ（映画のワンシーンなどの画像データ）を複数種に亘って取得する機能部（主に、画像取得部４７など）と、取得した画像データを表示させた上で、表示させた画像データのうちの何れかの選択を受付ける機能部（主に、操作部４３や演算制御部４４など）と、携帯端末７（受信装置の一種）が着脱可能に接続される機能部（主に、画像配信部４８など）と、選択画像データを携帯端末７へ配信する動作を行う機能部（主に、演算制御部４４や画像配信部４８）と、を備えている。
【００６６】
そのため画像配信装置４によれば、利用者の所持する携帯端末７に所望の画像データを配信し、利用者に映画に関する所望の画像の情報を提供することが可能となっている。これにより、利用者の満足度を高めることによって、利用者に再度映画館を訪れようとする意欲をもたせ、利用者の増大を図ることが可能となっている。
【００６７】
また画像配信装置４は、映画券が挿入（提出）される度に、この映画券を回収した上で、選択画像データを配信する動作を１回だけ行うようになっている。
【００６８】
そのため画像配信装置４によれば、選択画像データの配信を、１回の映画鑑賞につき１回に制限することが可能となっている。これにより、映画を鑑賞していない（映画券を取得していない）者に対して当該配信がなされることや、同じ者に対して何度も当該配信がなされることが防止される。つまり、配信の回数が制限されるようになっている。その結果、配信される画像データの希少価値を出来るだけ維持させて、映画券の販促効果を狙うことが可能となっている。
【００６９】
また画像配信装置４において、画像取得部４７は、複数種の映画のタイトルの各々に関連付けられた画像データを取得するようになっている。更にステップＳ１の動作によれば、映画券が挿入される度に、この映画券に付随した情報に基づいて、当該映画券に対応したタイトル（複数種のタイトルのうちの一つ）が特定されるようになっている。更にステップＳ２およびＳ３の動作によれば、画像取得部４７が取得した画像データのうち、特定されたタイトルに関連付けられたもののみを表示させた上で、表示させた画像データのうちの何れかの選択を受付けるようになっている。
【００７０】
そのため画像配信装置４によれば、複数種のタイトルの画像データを取得するものでありながら、配信される画像データの種類を、利用者が鑑賞した（或いは鑑賞予定の）タイトルに関するものに、限定することが可能となっている。
【００７１】
また画像配信装置４は、被写体を撮影して撮影画像データを取得する機能部（主に、撮影部４６など）と、ステップＳ３の動作を通じて選択のなされた画像データに、撮影画像データを合成させる機能部（主に、演算制御部４４など）と、を備えている。
【００７２】
そのため画像配信装置４によれば、配信される画像データを、利用者の肖像などを合成させたものとすることが可能となっている。その結果、配信される画像データの内容を、利用者の希望により一層沿ったものとし、利用者の満足度をより高めることが可能となっている。
【００７３】
また本実施例では、提出された映画券が回収されるようにすることで、画像データの配信回数の制限が可能となっているが、他の手法によって、画像データの配信回数が制限されるようにしても構わない。
【００７４】
例えば、映画券の各々にＩＤ情報（その映画券を他の映画券から区別させ得る情報であり、一例として、通し番号を表すバーコード）が付随している場合、映画券が提示された際に、画像配信装置４がこのＩＤ情報を読取って記憶するようにしておく。そして画像配信装置４において、映画券が提示された際には、この提示された映画券に付随しているＩＤ情報が、以前に提示された映画券のものと一致しているかが判断されるようにしておく。
【００７５】
そして更に、画像配信装置４において、一致しないと判断された場合に限り、選択画像データを配信する動作が１回だけ行われるようにする。つまり、以前に提示された映画券と同じ映画券が、再度提示されても、選択画像データを配信する動作は実行されないようにする。
【００７６】
このようにしておけば、同じ映画券が何度も提示されてその度に画像データが配信されるといった事態を、防止することが可能となる。そのため、映画券を回収する場合と同様に、配信の回数を制限することが可能となる。
【００７７】
なお、画像配信装置４に提示させるものとしては、映画券に限らず、配信を受ける利用者を特定し得る種々のもの（例えば、会員カードやポイントカードといったカード類）を採用することができる。このようにすれば、不特定の者が画像データの配信を自由に受けられる事態を防止し、画像データの希少価値が下がることを極力防ぐことが可能となる。
【００７８】
［実施例２］
次に実施例２として、印刷物提供装置（画像処理装置の一種）を挙げて説明する。なお本実施例は、画像配信部４８の代わりに印刷部が設けられた点や、画像データを配信する代わりに印刷物を提供する点などを除いて、基本的に実施例１と同等であり、重複した説明は省略する。
【００７９】
図６は、本実施例に係る印刷物提供装置の構成を表すブロック図であり、図７は、当該印刷物提供装置の外観図である。図６に示すように、印刷物提供装置４ａは、印刷物４９を備えている。
【００８０】
印刷部４９は、演算制御部４４の指示に応じて、予め供給されている印刷用紙に画像データを印刷するプリンタ４９ａ、および、当該印刷のなされた印刷用紙（印刷物の一種）を外部に排出するための用紙排出口４９ｂを有している。用紙排出口４９ｂは、図７に示すように、印刷物提供装置４ａの前面に設けられており、利用者は排出された印刷用紙を受取ることが可能となっている。
【００８１】
また印刷物提供装置４ａは、実施例１の画像配信装置４が行う画像配信動作の代わりに、画像データが印刷された印刷用紙を提供するための動作（印刷物提供動作）を行う。印刷物提供動作の内容について、図８に示すフローチャートを参照しながら説明する。なお、ステップＳ１からＳ６までの動作については、実施例１の場合と同様であるため、説明を省略する。
【００８２】
ステップＳ６の動作により選択画像データが表示させた状態にて、演算制御部４４は、選択画像データの印刷および画像データの再選択受付の、何れを実行すべきかの指示（例えばタッチパネル４３ａの所定操作）を待機する（ステップＳ１１）。このとき利用者は、これから印刷されるデータが、現状の選択画像データで良いと考える場合には、印刷の実行（印刷ＯＫ）を指示し、選択画像データの変更を希望する場合には、再選択受付（再選択必要）を指示することになる。
【００８３】
再選択受付が指示された場合には（ステップＳ１１の「再選択必要」）、演算制御部４４は、現状の選択画像データに関わる情報を破棄し、再度ステップＳ３の動作を行う。これにより利用者は、選択画像データを変更させることが可能である。
【００８４】
一方、印刷の実行が指示された場合には（ステップＳ１１の「印刷ＯＫ」）、演算制御部４４は、印刷部４９に、選択画像データを印刷用紙に印刷して排出するよう指示する。これを受けて印刷部４９は、選択画像データを印刷用紙に印刷し、当該印刷用紙を外部に排出する（ステップＳ１２）。なお選択画像データが動画の場合は、その動画の１フレーム（例えば、最初のフレーム）の画像が、印刷用紙に印刷される。
【００８５】
これにより利用者は、選択画像データの印刷された印刷用紙を入手することができる。なおステップＳ１２の動作が完了することにより、１回分の印刷物提供動作は完了し、印刷物提供装置４ａは再び通常の動作状態に戻る。
【００８６】
上述したように印刷物提供装置４ａによれば、利用者に映画に関する所望の画像の印刷物を提供することが可能となっている。これにより、利用者の満足度を高めることができ、ひいては、利用者の増大を図ることが可能となる。なお画像データが印刷される媒体は、印刷用紙に限られるものではなく、印刷の可能な種々のものとすることができる。
【００８７】
また印刷物提供装置４ａを、実施例１で説明した各機能（選択画像データを携帯端末７に配信する機能など）をも兼ね備えたものとしても良い。この場合、例えば利用者の指示に応じて、選択画像データの配信および印刷物の排出の、何れが実行されるかが決定されるようにすれば良い。
【００８８】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００８９】
本発明は、映画館に設置される画像処理装置などに利用することができる。
【符号の説明】
【００９０】
１    エントランスホール
２    上映ルーム
３    発券機
４    画像配信装置（画像処理装置の一形態）
４ａ  印刷物提供装置（画像処理装置の一形態）
５    チェックゲート
６    画像サーバ
７    携帯端末（受信装置）
９    映画館
４１    券処理部
４１ａ  券挿入口
４２    表示部
４２ａ  確認用画面
４２ｂ  画像データ表示用画面
４３    操作部
４３ａ  タッチパネル
４３ｂ  画像選択ボタン
４４    演算制御部
４５    記憶部
４６    撮影部
４６ａ  カメラ
４７    画像取得部
４８    画像配信部
４８ａ  無線通信Ｉ／Ｆ
４９    印刷部
４９ａ  プリンタ
４９ｂ  用紙排出口
【図１】
2011151433.tif 000003
【図２】
2011151433.tif 000004
【図３】
2011151433.tif 000005
【図４】
2011151433.tif 000006
【図５】
2011151433.tif 000007
【図６】
2011151433.tif 000008
【図７】
2011151433.tif 000009
【図８】
2011151433.tif 000010